(57)【要約】【課題】  記録紙の給紙、搬送方向が装置前後方向で、かつ、フラットベットスキャナ部の原稿の走査方向が装置左右方向である画像形成装置において、装置前後の記録紙取出し性、ジャム処理性を向上する。【解決手段】  記録紙の給紙、搬送方向が装置前後方向で、かつ、フラットベットスキャナ部の原稿の走査方向が装置左右方向である画像形成装置において、リーダ部とプリンタ部の前後方向の片側２ヶ所の固定において、前記固定部片側２ヶ所の前後幅ｙを原稿台ガラス幅ｘの投影範囲内で原稿台ガラス幅ｘの半分以下にしたことを特徴とする。【選択図】  図１
2006030266.tif 000002
【特許請求の範囲】
【請求項１】
記録紙を装置前後方向に搬送しながら画像を記録するプリンタ部と、
前記プリンタ部の上部に設けられ、原稿台ガラスに載置された原稿の画像を読み取るためのリーダ部と、
前記リーダ部と略同一高さに設けられた操作部と、を有する画像形成装置において、
前記プリンタ部は、画像記録後の記録紙を装置手前方向に排出可能な第１の排出口と、画像形成後の記録紙を装置奥方向に排出可能な第２の排出口とを有し、画像が形成された記録紙を搬送する搬送路を開閉するためのトレイを使用者が開閉することでいずれかの排出口に記録紙を排出するかを選択可能に構成されており、前記第１の排出口は前記プリンタ部の上部に設けられ、使用者が前記第１の排紙口を選択した場合は排出された記録紙は前記プリンタ部の上面でかつ前記リーダ部の下方の位置に積載され、前記第２の排出口は前記プリンタ部の背面側に設けられ、前記第２の排紙口を選択した場合は記録紙を装置奥側方向に排出され、且つ、前記トレイを開放して前記搬送路が開放された場合には記録紙の紙つまりを背面側から処理することが可能であり、
前記リーダ部は前記プリンタ部の左右端に設けられたリーダ支持部によって支持され、
前記リーダ支持部は前記リーダ部を固定する固定部を備え、前記固定部が前記原稿台ガラスの前後方向の幅内に設けられ、且つ、前記固定部の前後方向の幅が前記原稿台ガラスの前後方向の幅の半分以下であることを特徴とする画像形成装置。
【請求項２】
装置手前側で前記リーダ部と前記プリンタ部との間に装置手前側空間を設けたこと特徴とする請求項１記載の画像形成装置。
【請求項３】
装置後側で前記リーダ部と前記プリンタ部との間に装置後側空間を設けたこと特徴とする請求項１又は２に記載の画像形成装置。
【請求項４】
装置前側の前記リーダ部の下面を略紙幅だけ凹形状としたことを特徴とする請求項１乃至３のいずれか１項に記載の画像形成装置。
【請求項５】
記録紙に画像を形成する画像形成手段と、前記画像形成手段によって画像が形成されたシートを案内する搬送路と、前記搬送路によって案内された記録紙を排出する排出口と、前記搬送路を開放するために前記排出口からの記録紙の排出方向と反対方向に回動するガイドと、を備え、記録紙を装置の前後方向に搬送しながら画像を記録紙に記録するプリンタ部と、原稿台ガラスを備え前記原稿台ガラスに載置された原稿の画像を読み取るための、前記プリンタ部の上部に設けられたリーダ部と、
前記プリンタ部の上部であって前記リーダ部の下方に位置し前記排出口から排出された記録紙を積載する積載部と、
前記積載部の前記排出方向と交差する方向の両端側に設けられ、前記リーダ部を支持するための一対のリーダ支持部と、を有し、
前記一対のリーダ支持部材は前記リーダ部を固定する固定部を備え、前記固定部が前記原稿台ガラスの前記前後方向の幅内に設けられ、且つ、前記固定部の前記前後方向の幅が前記原稿台ガラスの前記前後方向の幅の半分以下であることを特徴とする画像形成装置。
【発明の詳細な説明】
【技術分野】
【０００１】
本発明は、複写機、ファクシミリ、ＭＦＰ等の画像形成装置に関する。
【背景技術】
【０００２】
従来、プリンタと原稿読み取り部をもった複合機としてレーザプリンタをもったＭＦＰを例にとり説明する。
【０００３】
従来この種の複合機となるＭＦＰ（Ｍｕｌｔｉ  Ｆｕｎｃｔｉｏｎ  Ｐｒｉｎｔｅｒ）は以下で構成されていた。
【０００４】
装置の下部にはカセット内に載置された記録紙を給紙してレーザプリンタにより画像を形成したのちに定着手段で画像が記録紙上に定着されたのちに、装置外に排出、積載されるプリンタ部を配置している。
【０００５】
また、プリンタ部の上方には、原稿台面上に載置された原稿を読み取り手段により走査して読み取るフラットベットスキャナ部とで構成されていた。
【０００６】
近年、プリンタ単機能の商品は記録紙の給紙、搬送方向が装置の前後方向のレイアウトが主流である。ＭＦＰはプリンタ単機能の商品を流用して、プリンタ単機能の商品の上にフラットベットスキャナ部を設けた商品が主流になっておりＭＦＰのプリンタ部はプリンタ単品商品と同様に記録紙の給紙、搬送方向が装置前後方向となっている。一方で、フラットベットスキャナ部は従来の複写機と同様に原稿の走査方向が装置左右方向であり、すなわち、記録紙の給紙、搬送方向と原稿の走査方向が直交するレイアウトが主流となっている（例えば特許文献１参照。）。
【０００７】
一例をあげると、従来の構成は図６に示すようにリーダ部とプリンタ部の前後方向の固定幅Ｙ１が原稿台ガラスの幅Ｘ１より大きく、かつ、原稿台ガラスの投影外の位置となっていた。
【０００８】
また、図７に示すように、リーダ部とプリンタ部の前後方向の固定幅Ｙ２が原稿台ガラスの幅Ｘ２より小さい場合でも原稿台ガラスの投影外の位置で固定されていた。
【特許文献１】特開２００４−１３７０７０号公報
【発明の開示】
【発明が解決しようとする課題】
【０００９】
（１）図６において、リーダ部とプリンタ部の前後方向の固定幅Ｙ１が原稿台ガラスの幅Ｘ１より大きいことによって、前後の手を入れる空間が確保できず、視認性が悪いとともに、手前からの記録紙の取り出し性（Ｄ方向）、後ろからのジャム処理（Ｆ方向）が非常に困難であった。また、記録紙を取り出すためには、リーダとプリンタの間の隙間に手を入れなくてはならない。よって、リーダとプリンタの隙間を大きくとる必要があり、装置高さがアップして、装置の大型化や、高さアップに伴う操作部及びリーダ部の操作性を悪化させていた。
（２）図７のような構成の場合、手前からの記録紙へのアクセス（Ｊ方向）に関しては良いが、後からのジャム処理性（Ｈ方向）が悪くなるという欠点があった。
【課題を解決するための手段】
【００１０】
上記課題を解決するための本発明の代表的な構成は、記録紙を装置前後方向に搬送しながら画像を記録するプリンタ部と、前記プリンタ部の上部に設けられ、原稿台ガラスに載置された原稿の画像を読み取るためのリーダ部と、前記リーダ部と略同一高さに設けられた操作部と、を有する画像形成装置において、前記プリンタ部は、画像記録後の記録紙を装置手前方向に排出可能な第１の排出口と、画像形成後の記録紙を装置奥方向に排出可能な第２の排出口とを有し、画像が形成された記録紙を搬送する搬送路を開閉するためのトレイを使用者が開閉することでいずれかの排出口に記録紙を排出するかを選択可能に構成されており、前記第１の排出口は前記プリンタ部の上部に設けられ、使用者が前記第１の排紙口を選択した場合は排出された記録紙は前記プリンタ部の上面でかつ前記リーダ部の下方の位置に積載され、前記第２の排出口は前記プリンタ部の背面側に設けられ、前記第２の排紙口を選択した場合は記録紙を装置奥側方向に排出され、且つ、前記トレイを開放して前記搬送路が開放された場合には記録紙の紙つまりを背面側から処理することが可能であり、前記リーダ部は前記プリンタ部の左右端に設けられたリーダ支持部によって支持され、前記リーダ支持部は前記リーダ部を固定する固定部を備え、前記固定部が前記原稿台ガラスの前後方向の幅内に設けられ、且つ、前記固定部の前後方向の幅が前記原稿台ガラスの前後方向の幅の半分以下である。
【発明の効果】
【００１１】
リーダの記録部への固定位置を装置前後方向で、原稿台ガラスの投影内とし、さらに、原稿台ガラスの露出部（原稿セット幅）の幅の半分以下にすることにより、装置前後に手の入る空間が確保でき、装置前後のどちらからのアクセス性も飛躍的に向上する。
【発明を実施するための最良の形態】
【００１２】
まず、図２〜５に本発明の実施形態を、プリンタ機能、ブック原稿を読取り複写を行う複写機能を合わせ持った多機能複合機（以下、ＭＦＰと呼ぶ）を例示して説明する。ここで、図４は本発明のＭＦＰを右斜め前から見た斜視図であり装置全体の概要を示している。図２はＭＦＰを左側からみた装置断面図である。図３はＭＦＰを装置正面から見た装置正面図ある。図５はＭＦＰを右斜め後ろから見た斜視図である。
【００１３】
（全体概略説明）
図２乃至図５を参照してＭＦＰ全体の概略を説明する。図２乃至図５において、１００は画像形成装置本体でありＡ方向が装置手前方向である。画像形成装置本体１００の上部にはリーダ部１０１０が設けられている。リーダ部１０１０は、フラットベットスキャナ１０１を備えている。フラットベットスキャナ１０１は、原稿台ガラス１０１ａ面上に置かれた原稿Ｂを装置の装置幅方向であるＣ方向に走査して読み取る。１０２は圧板であり使用者が上下に開閉することができ、原稿台ガラス１０１ａ上に置かれた原稿Ｂを押さえるものである。１０１ｂは読取手段であり、本実施例ではＣＣＤを用いた縮小光学系を内臓したＣＣＤボックスを用いている。
【００１４】
１０４はレーザービームプリンタからなる記録装置部（プリンタ部）である。
【００１５】
１１２はカセット給紙部であり、記録紙Ｐが収納されている。１１２ａはカセット給紙部から記録紙Ｐを一枚分離して画像形成部１１１に分離・搬送する分離ローラである。
【００１６】
１１３は手差し給紙部であり、１１３ａは給紙ローラで、手差し給紙口１１３ｂに挿入された記録紙Ｐを搬送して画像形成部１１１に搬送する。
【００１７】
給紙ローラ１１３ａはカセット給紙部から搬送された記録紙Ｐを画像形成部１１１に送り込む役割も兼ねている。
【００１８】
１１０はレーザースキャナ、１１１は画像形成部であり、１１１ａはトナーカートリッジであり、トナーカートリッジ１１１ａの内部には感光ドラム１１１ｃ及び図示せぬ帯電部、現像部、クリーニング部及びトナーが一体の容器に収納されている。１１１ｂは転写ローラである。ここで感光ドラム１１１ｃと転写ローラ１１１ｂとの間で記録紙を搬送しつつ、トナーを記録紙上に転写する。
【００１９】
１１４は画像形成部１１１で記録紙上に転写したトナーを加熱し定着させる定着部である。
【００２０】
１１５は排紙ローラ対であり、１１４で定着された記録紙を後述するフェイスダウン排紙トレイに排出するものである。
【００２１】
１１６は記録紙Ｐを画像面を下にして排紙するフェイスダウン排紙トレイ（ＦＤ排紙トレイと呼ぶ）である。
【００２２】
１１７は記録後、排紙された記録紙Ｐの画像面を上にして積載するフェイスアップ排紙トレイ（ＦＵ排紙トレイ）である。ＦＵ排紙トレイはＦＤ排紙部から排紙する場合には図のごとく閉じられており、ＦＵ排紙する際には破線のごとく１１７‘の位置に開くことでＦＵ排紙の排紙を行うものである。また、ＦＵ排紙トレイは、ＦＤ排出口に記録紙を案内するガイドであって、ＦＤ排紙においてジャムが生じたときに、搬送路を開放するためのジャム処理カバーでもある。なお、ＦＤ排紙トレイ１１７を１１７’の位置に回動することによって搬送路のジャム処理を行なうことが可能である。
【００２３】
以上の構成により、記録装置部１０４は記録紙Ｐを装置の前後方向（Ｅ方向）に搬送させることで、記録紙Ｐの給紙、画像形成、排紙を行う構成である。
【００２４】
すなわち、図３に示すように原稿の読取りの走査が装置の幅方向（Ｃ方向）に対して記録紙の搬送方向は図２に示すように装置の前後方向（Ｅ方向）となり、原稿の走査方向と記録紙の搬送方向が直交する構成となっている。
【００２５】
１０５は表示部・入力キー等により構成される操作部であり、装置前面に設けられ使用者が装置前面から操作可能に構成され良好な操作性を実現している。１０５ａは操作部の電気基板であり、キースイッチやＬＣＤ表示部が設けられている。
【００２６】
１２０は電気基板が設けられた電装部であり、全体を制御するものである。
【００２７】
次に各部の詳細及び動作について説明する。
【００２８】
（フラットベットスキャナ部）
まずフラットベットスキャナ部１０１の詳細な構成及び動作について説明する。
【００２９】
フラットベットスキャナ部１０１は原稿を載置する原稿台ガラス１０１ａが設けられている。原稿台ガラス１０１ａの下部には原稿を読み取る際の白基準となる図示せぬ白地部が設けられ、ＣＣＤを内臓したＣＣＤボックス１０１ｂは白地部の下で待機して、原稿を読み取る前に白地部を読み取ることで電気的な補正を行っている。
【００３０】
圧板１０２は回転中心部（以下ヒンジと呼ぶ）が装置奥側に設けられ、装置上方に所定の角度だけ圧板１０２が開くよう揺動可能に構成されており、使用者が圧板１０２を開き、原稿台ガラス１０１ａ面上に原稿を載置する構成になっている。
【００３１】
ＣＣＤボックス１０１ｂは図示せぬ駆動するモータ（読取走査モータと呼ぶ）により、ＣＣＤボックス１０１ｂを原稿の副走査方向（Ｃ方向）に駆動する。
【００３２】
以上の構成により原稿Ｂを読み取る際には、ＣＣＤボックス１０１ｂを装置左方向から右方向に読取走査モータにより移動させながら原稿Ｂの面を読み取ることで、原稿Ｂの画像を読み取るものである。
【００３３】
（記録装置部）
次に記録装置部について詳細な構成及び動作について説明する。
【００３４】
記録紙Ｐの搬送方向を図２の矢印Ｇに示す。ここで、カセット給紙部１１２が、記録装置部１０４の底部に配設されている。給紙カセット１１２ｂに積載されたシート材Ｐは、分離ローラ１１２ａによって１枚ずつ分離、搬送され図示せぬ搬送ローラにより更に搬送され、画像形成部１１１に送り込まれる。
【００３５】
ここで、給紙カセット１１２ｂは装置手前方向（Ａ方向）に引き出すことで装置手前で記録紙のセットやジャム処理が行える。
【００３６】
また、１１３は手差し給紙部であり、装置前面に配置されている。手差し給紙口に挿入された記録紙Ｐは、給紙ローラ１１３ａにより搬送され画像形成部１１１に送り込まれる。
【００３７】
ここで、手差し給紙口への記録紙のセットは装置手前方向から行うことが可能に構成されている。
【００３８】
カセット給紙部１１２または手差し給紙部１１３から給紙ローラ１１３ａに送り込まれた記録紙Ｐは給紙ローラ１１３ａにより画像形成部１１１に送り込まれ、転写ローラ１１１ｂと感光体ドラム１１１ｃとの間に搬送される。
【００３９】
記録装置部１０４は、記録制御基板１１９から出力される画像信号に基づいてレーザースキャナ１１０から画像光を射出し、この画像光を画像形成部１１１の感光体ドラム１１１ｃに照射して、感光体ドラム１１１ｃ表面に静電潜像を形成し、この静電潜像を現像手段によってトナー像に変換し、画像形成部１１１に給送された記録紙Ｐにトナー像を転写する。
【００４０】
感光体ドラム１１１ｃは帯電手段と現像手段とクリーニング手段と共にトナーカートリッジ１１１ａ内に一体に組込まれていて、記録装置本体１０４に対して着脱自在に構成されている。ここで、画像形成部１１１の前面には使用者が開閉可能なカバー１１８（以下、カートリッジカバーと呼ぶ）が設けられ、トナーカートリッジ１１１ａを交換する際や画像形成部１１１で記録紙のジャムが発生した場合は装置前面からカートリッジカバー１１８を１１８’の位置まで開くことでトナーカートリッジ１１１ａを装置手前方向に着脱することが可能となっている。
【００４１】
画像形成部１１１の感光体ドラム１１１ｃ下部には転写ローラ１１１ｂが配置され、また感光体ドラム１１１ｃよりも下流側の搬送経路に熱定着器１１４が配置されている。
【００４２】
記録紙Ｐは転写ローラ１１１ｂで感光体ドラム１１１ｃ表面に形成されたトナー像を転写された後、記録搬送部に沿って搬送され、熱定着器１１４でトナー像が定着される。定着後の記録紙Ｐは更に搬送され、排紙ローラ対１１５により第１の排出口であるＦＤ排紙口１１５ａを介して装置外に排紙され、ＦＤ排紙トレイ１１６に積載される。
【００４３】
積載位置は記録紙の装置前端が使用者が装置前面から取り出し可能な位置である。
【００４４】
以上により、原稿のガラス面への載置、記録紙の取り出し、記録紙カセットの引き出し、手差し給紙部への記録紙のセット、トナーカートリッジの取り出し及び操作部の操作といった操作をすべて装置前面方向から行うことが可能であり良好な操作性を実現している。
【００４５】
一方、ＦＤカバー１１７付近の搬送路でジャム処理が発生した場合には、ＦＤカバーを１１７’まで回動することで背面側から、記録紙のジャム処理を行うことが可能である。
【００４６】
また、厚紙などの場合において、ＦＵ排紙する場合にはＦＤカバー１１７を１１７’の位置まで開き第２の排出口であるＦＤ排紙口１１７ａから排出される。そして、ＦＵ排紙された記録紙の取り出しは背面側から行なわれる。
【００４７】
（本発明の特徴となる構成の説明）
次に本発明の特徴となる構成について説明する。
【００４８】
本実施形態においては、図３の正面図に示すようにリーダ部１０１０が、積載部であるＦＤ排紙トレイ１１６の左右端に設けられた一対のリーダ支持部Ｓによって記録装置部１０４の上部に支持されている。即ち、記録紙が排紙されるＦＤ排紙トレイ１１６はリーダ部１０１０と記録装置部１０４との間であってリーダ支持部Ｓに挟まれた位置に設けられている。
【００４９】
図１はリーダ部１０１０を支持するリーダ支持部Ｓにおいてリーダ部１０１０を支持する構成を示した断面図である。図１に示すようにリーダ部１０１０は装置手前側固定部１０と装置後側固定部１１とによって記録装置部１０４の上部に固定されている。ここで、固定部の装置前後方向の幅が原稿台ガラス１０１ａの前後方向の幅内に設けられ、且つ、固定部の前後方向の幅が原稿台ガラス１０１ａの前後方向の幅の半分以下となるように構成されている。本実施形態では、リーダ部１０１０と記録装置部１０４の前後方向の固定において装置手前側固定部１０と装置後側固定部１１の固定幅ｙが、原稿台ガラス１０１ａの原稿台ガラス露出部１２の幅ｘの半分以下としている。本実施形態では原稿台ガラス露出部１２の装置前後方向の幅ｘが２２２ｍｍに対して固定部１０、１１の装置前後方向の固定幅１０５．５ｍｍである。なお、原稿台ガラス露出部１２とは圧板１０２を開放した際に原稿台ガラス１０１ａが露出する部分である。そして、これら２つの固定部は原稿台ガラス露出部の投影内となるように構成されている。
【００５０】
なお、リーダ部１０１０を固定するための構成は装置の正面に向かって左右に対称形であり、図１を用いて画像形成装置本体の右側のリーダ支持部について述べたが、左側のリーダ支持部についても同様の構成である。
【００５１】
これにより、装置手前側空間５０が確保でき積載された記録紙の手前からの取出し性を向上している。また、装置後側空間５１が確保できるため装置後側での後部第二の排出口へのアクセス、後部のジャム処理性が向上する。これら前後からのアクセス性が向上し装置全体の使い勝手が飛躍的に向上する。即ち、既述のようにＦＤ排紙トレイ１１６に排紙された記録紙は装置の正面側から取り出され、ＦＤカバー１１７を開いてジャム処理を行なう場合やＦＤカバー１１７上に記録紙を排紙した場合には、記録紙は装置の背面側から取り出されるが、リーダ部１０１０の装置前後方向の固定幅を小さくすることによって装置手前側空間５０および装置後側空間５１が確保されるために、前方からの記録紙へのアクセスと後方からの記録紙へのアクセスが共に容易となる。
【００５２】
さらに、図３に示すようにリーダ部１０１０の下部を凹形状１３とすることにより、記録紙取出し空間５２が確保できる。このような構成により、画像形成装置本体１００の高さを高くしなくても記録紙取り出し性が確保でき、装置全体の小型化が可能となる。
【図面の簡単な説明】
【００５３】
【図１】本発明の実施形態に係るＭＦＰを右側から見た支持部構成図。
【図２】本発明の実施形態に係るＭＦＰを左側からみた断面図。
【図３】本発明の実施形態に係るＭＦＰの正面図。
【図４】本発明の実施形態に係るＭＦＰを装置右斜め前から見た斜視図。
【図５】本発明の実施形態に係るＭＦＰを装置右斜め後から見た斜視図。
【図６】本発明の背景技術に係るＭＦＰを左側から見た断面図。
【図７】本発明の背景技術に係るＭＦＰを右側から見た側面図。
【符号の説明】
【００５４】
Ｂ  原稿
Ｐ  記録紙
１０  装置手前側固定部
１１  装置後側固定部
１２  原稿台ガラス露出部
１３  リーダ下凹部
１４  支持部材
５０  装置手前側空間
５１  装置後側空間
５２  記録紙取出し空間
１００  画像形成装置本体
１０１  フラットベットスキャナ
１０１ａ  原稿台ガラス
１０１ｂ  読取センサ
１０１ｂ  ＣＣＤボックス
１０１ｃ  原稿突き当て部
１０２  圧板
１０３ｅ  読取走査モータ
１０４  記録装置部
１０５  操作部
１０５ａ  電気基板
１１０  レーザースキャナ
１１１  画像形成部
１１１ａ  トナーカートリッジ
１１１ｂ  転写ローラ
１１１ｃ  感光ドラム
１１２  カセット給紙部
１１２ａ  分離ローラ
１１２ｂ  給紙カセット
１１３  手差し給紙部
１１３ａ  給紙ローラ
１１３ｂ  手差し給紙口
１１４  熱定着器
１１５  排紙ローラ対
１１６  ＦＤ排紙トレイ
１１７  ＦＵ排紙トレイ
１１７’  ＦＵ排紙トレイ開位置
１１８  カートリッジカバー
１１８’  カートリッジカバー開位置
【図１】
2006030266.tif 000003
【図２】
2006030266.tif 000004
【図３】
2006030266.tif 000005
【図４】
2006030266.tif 000006
【図５】
2006030266.tif 000007
【図６】
2006030266.tif 000008
【図７】
2006030266.tif 000009